(57)【特許請求の範囲】
【請求項１】
相対向する一対の長尺な枠体１、１と、枠体１、１間に任意の間隔を置いて架設した複数のステップ２と、枠体１、１間において上記各ステップ２の上面に隙間を設けながら固定した複数の板本体３、３と、枠体１、１の任意の位置の上下又は外周に結合したクッションと滑り止めを兼ねた被覆部材６とから構成され、さらに、枠体１とステップ２とを中空な筒体で構成させ、枠体１の両端に滑り止め８を施し、板本体３の表面に突起、粗面からなる滑り止め９を施し、被覆部材６が枠体の上下に嵌合した一対の弾性なゴム製又は樹脂製のパッカーから構成され、塞ぎ板１３と、この塞ぎ板１３の両側に設けた抱持枠１０、１０とからなる隙間塞ぎ部材Ｂを設け、上記塞ぎ板１３を長手方向に相対向する板本体３、３の各上面間に掛け渡して各板本体３、３間の隙間Ｓを塞ぎ、抱持枠１０、１０を長手方向に対向する各枠体１、１の各端部に差し込んで当該枠体３、３同士を結合させて長手方向に継ぎ足す階段と梯子と足場板とを兼ねた多目的ステージ。
【請求項２】
枠体１、１の端部にフック１６、１６を設けた筒体１５、１５を挿入して固定し、このフック１６、１６を介して他の足場における横材１７に引っ掛けるようにしている請求項１に記載の多目的ステージ。
【請求項３】
最端部のステップ２内に支持ロッド１８を挿入し、当該支持ロッド１８の両端に設けた支持片１９、１９に係止孔を介してロープ又はワイヤからなる牽引部材２０を結合し、この牽引部材２０介して吊り持ちしながら傾斜面に設置させる請求項１又は請求項２に記載の多目的ステージ。
【発明の詳細な説明】
【技術分野】
【０００１】
本発明は、ビルディングの屋根、一般家屋の屋根の建造、修理等の工事、丘陵の法面の工事、その他一般的な建築・土木工事等の使用に適する階段と梯子と足場板とを兼ねたいろいろな目的に使用可能な多目的ステージに関する。
【背景技術】
【０００２】
一般に、ビルディングや一般家屋等の屋根を建造、修理する場合には、この屋根が任意の角度の勾配を有していると、作業者が屋根面に沿って縦横に歩行するのが困難で作業姿勢も不安定となり、作業性が悪く、最悪の場合には作業者が転倒して地上に落下する危険がある。
【０００３】
そこで、特許文献１に示すように、屋根面の歩行中、作業中に作業者が転倒したり、地上に落下したりするのを防止し、安全な作業が行え、人身事故の発生を防止できる屋根工事用の足場が開発されている。
【０００４】
この屋根工事用の足場は、屋根面の勾配に合せて当該屋根面上に縦方向に配設した角度調整自在な剛性のタラップと、タラップの片側又は両側に起立させた角度調整自在な手摺と、タラップの側部に角度調整自在な足場板支持金具を介して水平方向に結合した足場板と、足場板の片側又は両側に起立させた手摺とからなり、上記タラップと足場板上に沿って作業者が歩行し、作業を行うようにしている。
【特許文献１】特開２００２-８９０３３号公報(図面，請求項１参照)
【発明の開示】
【発明が解決しようとする課題】
【０００５】
上記従来の足場は、機能上特に欠陥があるわけではないが、次のような不具合の改善が望まれている。
【０００６】
即ち、上記の屋根工事用の足場は、屋根面の勾配に沿うタラッブと、タラップの側部に設けた不平方向の足場板を備えているので、屋根の勾配に沿って作業者が歩行する時は階段、梯子としてタラップを使用し、屋根面を横方向に歩行する時は足場板を利用できる。
【０００７】
しかしながら、上記のように用途に応じて全く異なった構造のタラップと足場板を使用するため、部品点数が多くなり、設計コスト，加工コスト，材料費が嵩む不具合がある。
【０００８】
又、タラップや足場板を屋根上に設置したり、撤去したりする時両者の重量や大きさが異なる為、これを引き上げ、引き降す作業が面倒で、困難となり作業性，作業コストにおいて不利となる。
【０００９】
更に、工事現場にタラップや足場板を輸送する場合、両者の構造，重量、大きさが異なる為に均一にそろえてトラック等に積むことが困難で、無理に積み込むと荷くずれが生じ危険でもある。
【００１０】
更に又、屋根工事の足場やその他の一般的な建築・土木工事の現場では枠組足場を設置する場合が多いが、上記のタラップや足場板はそのままこの枠組足場の足場板として利用できない不具合もある。
【００１１】
そこで、本発明の目的は、一般的な足場板として利用できると共にタラップとしての階段、梯子、その他いろいろな目的にも使用できる汎用性のある階段と梯子と足場板とを兼ねた多目的ステージを提供することである。
【課題を解決するための手段】
【００１２】
上記の目的を達成するため、本発明の手段は、相対向する一対の長尺な枠体１、１と、枠体１、１間に任意の間隔を置いて架設した複数のステップ２と、枠体１、１間において上記各ステップ２の上面に隙間を設けながら固定した複数の板本体３、３と、枠体１、１の任意の位置の上下又は外周に結合したクッションと滑り止めを兼ねた被覆部材６とから構成され、さらに、枠体１とステップ２とを中空な筒体で構成させ、枠体１の両端に滑り止め８を施し、板本体３の表面に突起、粗面からなる滑り止め９を施し、被覆部材６が枠体の上下に嵌合した一対の弾性なゴム製又は樹脂製のパッカーから構成され、塞ぎ板１３と、この塞ぎ板１３の両側に設けた抱持枠１０、１０とからなる隙間塞ぎ部材Ｂを設け、上記塞ぎ板１３を長手方向に相対向する板本体３、３の各上面間に掛け渡して各板本体３、３間の隙間Ｓを塞ぎ、抱持枠１０、１０を長手方向に対向する各枠体１、１の各端部に差し込んで当該枠体３、３同士を結合させて長手方向に継ぎ足す階段と梯子と足場板とを兼ねていることを特徴とする。
【００１４】
この場合、塞ぎ板１３と、この塞ぎ板１３の両側に設けた抱持枠１０、１０とからなる隙間塞ぎ部材Ｂを設け、上記塞ぎ板１３を長手方向に相対向する板本体３、３の各上面間に掛け渡して各板本体３、３間の隙間Sを塞ぎ、抱持枠１０、１０を長手方向に対向する各枠体１、１の各端部に差し込んで当該枠体３、３同士を結合させて長手方向に継ぎ足すようにしても良い。
【００１５】
同じく、枠体１、１の端部にフック１６、１６を設けた筒体１５、１５を挿入して固定し、このフック１６，１６を介して他の足場における横材１７に引っ掛けるようにしても良い。
【００１６】
同じく、最端部のステップ２内に支持ロッド１８を挿入し、当該支持ロッド１８の両端に設けた支持片１９，１９に係止孔を介してロープ又はワイヤからなる牽引部材２０を結合し、この牽引部材２０介して吊り持ちしながら傾斜面に設置させても良い。
【発明の効果】
【００１７】
１）各請求項の発明によれば、相対向する一対の長尺な枠体１，１と、枠体１，１間に任意の間隔を置いて架設した複数のステップ２と、枠体１，１間において上記各ステップの上面に隙間を設けながら固定した複数の板本体３，３とを備えているから、ステップを上側に向けた時はタラップ、梯子又は階段として使用でき、裏返しして板本体を上側に向けた時は、足場板として使用で記きる。
【００１８】
２）  同じく、クッションと滑り止めを兼ねた被覆部材６を枠体１に取付けているので、工事現場に立てかけたり、工事現場の水平面、傾斜面に設置したり、足場枠に設置した場合に枠体１が滑らず安全であり、枠体１に作用する振動等の外力を吸収したり、衝撃を緩衝できる。
【００１９】
３）板本体２，２間に隙間４が有るので、足場板として使用している時、表に落ちた土、ごみ、水をこの隙間から排出できる。
【００２０】
４）階段と梯子と板本体が一体であるから、足場板と梯子と階段とを別々に加工する必要が無いから設計，コスト，加工コストを節約できる。又、トラック等で搬送したり、格納したりする場合には均一に積み込むことができ、荷くずれを防止でき、安全性が図れる。
【００２１】
５）枠体１の両端に滑り止め８を施しているので、枠体１を梯子として立てかけたとき下端が滑らない。
６）更に、本発明の足場板は、屋根工事用のみならず、一般的な階段、梯子や足場板にも利用でき、多数列設した時は床面、昇降装置その他いろいろな目的に使用可能であって、汎用性がある。
【発明を実施するための最良の形態】
【００２２】
以下、本発明の実施の形態を図に基づいて説明するが、本発明の階段と梯子と足場板を兼ねた多目的ステージＡは、図１乃至図２に示すように、相対向する一対の長尺な枠体１，１と、枠体１，１間に任意の間隔を置いて架設した複数のステップ２と、枠体１，１間において上記各ステップ２の上面に隙間を設けながら固定した複数の板本体３，３と、枠体１，１の任意の位置の上下又は外周に結合したクッションと滑り止めを兼ねた被覆部材６とから構成されている。
【００２３】
この為、ステップ２を上向きにした場合は、階段又は梯子として利用でき、これを裏返しにして板本体３を上側にセットした場合は足場板として使用できる。
【００２４】
枠体１とステップ２とは中空な筒体で構成され、枠体１の両端に滑り止め８を施しているので、枠体を梯子として立てかけたとき下端が滑らないようにしている。
【００２５】
又、板本体３の表面に突起、粗面からなる滑り止め９を施しているので作業者が滑らないようになっている。
【００２６】
更に、被覆部材６が枠体の上下に嵌合した一対の弾性なゴム製又は樹脂製のパッカーから構成され、枠体１に作用する振動等の外力を吸収し、滑りを防止している。
【００２７】
本発明のステージＡを長手方向に継ぎ足して、例えば、枠組み足場等に設置した時、両ステージＡ，Ａ間に隙間Ｓが発生する場合がある。
【００２８】
そこで、図３に示すように、二つのステージＡ、Ａを長手方向に連続して継ぎ足し、両ステージＡ、Ａ間に隙間Ｓが発生する場合は、板ばね１４を備えた塞ぎ板１３と、この塞ぎ板１３の両側に設けられた蝶ボルト１１を有する抱持枠１０、１０とからなる隙間塞ぎ部材Ｂを用意する。
そして、上記塞ぎ板１３を長手方向に相対向する板本体３、３の各上面間に掛け渡して各板本体３、３間の隙間Sを塞ぎ、抱持枠１０、１０を長手方向に対向する各枠体１、１の各端部に差し込んで当該枠体１、１同士を結合させて長手方向に継ぎ足すようにする。
【００２９】
即ち、両ステージＡ、Ａにおける抱持枠１０、１０に各枠体１、１の端部を差し込み、蝶ボルト１１の先端を最端部のステップ２内に挿入して抱持枠１０，１０を固定し、さらに塞ぎ板１３を板体３、３の上面間に掛け渡す。
【００３０】
このとき、塞ぎ板１３が隙間Ｓを塞ぎ、又この塞ぎ板１３の下部に設けた板ばね１４が両側のステップ２，２に嵌合して弛み止めを図り、上方への抜けを防止している。
【００３１】
抱持枠１０と隙間塞ぎ板１３は、一体に結合しても良く、別々に成形して別々に取り付けても良い。
【００３２】
本発明のステージＡは、図４に示すように、二枚重ねて使用しても良い。
【００３３】
この場合は、二枚のステージＡ，Ａの各枠体１，１の両側にそれぞれソケット２１，２１と取り付けておき、ステージＡ，Ａを重ねた時これらのソケット２１，２１間に蝶ボルト２３をねじ込んで締結するものである。二つのステージＡ，Ａを重ねて結合する手段は図４の実施の形態に限るものではない。
【００３４】
更に、本発明のステージＡを枠組み足場の横材１７に架設する場合は、図５に示すように、枠体１の端部にフック１６を取り付ける。
【００３５】
即ち、枠体１、１の端部にフック１６、１６を設けた筒体１５、１５を軸方向に沿って挿入させ、さらに、この筒体１５、１５を横方向から貫通する蝶ボルト１１を最端部のステップ２の両サイドに挿入し、この蝶ボルト１１を介して枠体１、１に筒体１５、１５を結合させ、このフック１６、１６を介して他の足場における横材１７に引っ掛けるようにしている。
【００３６】
更に、ステージＡを、例えば、図９の住宅Ｂの屋根面Ｃにタラップとして設置する場合は、枠体１の端部に牽引部材２０を取り付ける。
【００３７】
即ち、最端部のステップ２内に支持ロッド１８を挿入し、当該支持ロッド１８の両端に設けた支持片１９，１９に係止孔を介してロープ又はワイヤからなる牽引部材２０を結合し、この牽引部材２０介して止め部材２２に吊り持ちさせて傾斜面Ｃ上に設置させる。
【００３８】
同様に、このステージＡは、片側に手摺２３を起立させながら傾斜面Ｃ上に枕木２５を介してタラップとしても使用でき、更に傾斜面にＣに沿って階段もしくはタラップとして一対のステージＡ，Ａを設置し、これらのタラップ間に水平に足場板として他のステージＡを設置しても良い。
【００３９】
この場合は、図７に示すように、縦方向のステージＡの板本体１を傾斜面Ｃに当て、このステージＡに蝶ボルト３０を介して三つのフレーム２５，２６，２７からなる角度調整自在な三角ブラケットＤを起立させる。
【００４０】
次いで、傾斜面Ｃの角度に合わせて傾斜フレーム２７に対する水平フレーム２６の取りつけ位置を変更して常に水平フレーム２６を水平に保持させ、この状態で蝶ボルト２８等の止め具を介して他のステージＡを足場板として水平フレーム２６に固定する。
【００４１】
なお、住宅の周りに組み付けてある枠組み足場に枠体１を連結して使用する事もできる。
【００４２】
手摺２４の取り付けは、図８に示すように、手摺支柱の下部に固定の下部挟持片２９と、上方の上下移動自在な上部挟持片３３と、この上部挟持片３３に連働して上方のブラケット３２に移動自在にねじ結合した操作ロッド３１とを取りつけておき、上記二つの挟持片２９，３３とでステージＡの枠体１を挟み込み、操作ロッド３１で締付けることにより手摺２４がステージＡの側部の固定して起立させるものである。
【図面の簡単な説明】
【００４３】
【図１】（Ａ)（Ｂ）（Ｃ）（Ｄ）は本発明の一実施の形態に係るステージの平面図と底面図と側面図である。
【図２】（Ａ）ステージの端部部分拡大平面図である。
【００４４】
（Ｂ）同一部断面図である。
【００４５】
（Ｃ）被覆部材部分の側面図である。
【００４６】
（Ｄ）Ａ―Ａ線一部縦断拡大断面図である。
【００４７】
（Ｅ）拡大側面図である。
【図３】（Ａ）隙間塞ぎ部材の取り付け状態の平面図である。
【００４８】
（Ｂ）同正面図である。
【００４９】
（Ｃ）同縦断側面図である。
【００５０】
（Ｄ）同縦断拡大正面図である。
【図４】（Ａ）  二つのステージを重ねた状態の部分平面図である。
【００５１】
（Ｂ）  同じく正面図である。
【００５２】
（Ｃ）  同じく拡大側面図である。
【００５３】
（Ｄ）  同じく一部拡大正面図である。
【図５】（Ａ）  端部にフックを取り付けた状態の平面図である。
【００５４】
（Ｂ）  同じく側面図である。
【００５５】
（Ｃ）フック部の拡大正面図である。
【図６】（Ａ）端部に牽引部材を取り付けた状態の部分平面図である。
【００５６】
（Ｂ）同縦断側面図である。
【００５７】
（Ｃ）同一部拡大正面図で」ある。
【図７】（Ａ）タラップとして使用している状態の正面図である。
【００５８】
（Ｂ）同一部側面図である。
【図８】（Ａ）手摺の正面図である。
【００５９】
（Ｂ）同側面図である。
【００６０】
（Ｃ）手摺の取り付け部の部分拡大平面図である。
【００６１】
（Ｄ）同側面図である。
【００６２】
（Ｅ）同正面図である。
【図９】住宅の屋根面に設置した状態の斜視図である。
【符号の説明】
【００６３】
１  枠体
２  ステップ
３  板本体
４，５  隙間
６，７  被覆部材
【図１】
0005260844.tif 000002
【図２】
0005260844.tif 000003
【図３】
0005260844.tif 000004
【図４】
0005260844.tif 000005
【図５】
0005260844.tif 000006
【図６】
0005260844.tif 000007
【図７】
0005260844.tif 000008
【図８】
0005260844.tif 000009
【図９】
0005260844.tif 000010